(57)【要約】【課題】水中の装飾物を簡単に動かすことができ、また装飾物の動きを自由に操作することが可能な置物を提供する。【解決手段】柔軟かつ透明の合成樹脂製の袋１に水とこの水の中で移動可能な装飾物３ａを密閉状態で収納し、袋１の外側から前記水および装飾物３ａを押して動かすことができる置物Ａ。袋１の底面５の周囲に、底面よりも下方に突出している支持脚６が囲繞している。前記装飾物３ａは、水中を泳ぐ魚の模型であり、浮き玉４にてぐす４ａによって連結されている。【選択図】図１
2006205726.tif 000002
【特許請求の範囲】
【請求項１】
柔軟かつ透明の合成樹脂製の袋に透明の液体とこの液体の中で移動可能な装飾物を密閉状態で収納し、袋の外側から前記液体および装飾物を押して動かすことができることを特徴とする置物。
【請求項２】
前記袋の底面の周囲を底面よりも下方に突出している支持脚が囲繞している請求項１記載の置物。
【請求項３】
前記装飾物が浮き玉に連結されている請求項1記載の置物。
【請求項４】
前記装飾物が生物の模型である請求項１または３記載の置物。
【請求項５】
前記袋の上方のほぼ中心を紐で縛っている請求項１または２記載の置物。
【請求項６】
請求項１、２、３、４または５に記載の置物を有底または無底の透明な筒状体に収納しているディスプレイ装置。
【請求項７】
前記筒状体が可撓性を有している請求項６記載のディスプレイ装置。
【請求項８】
前記筒状体が横方向が前後方向よりも幅広に形成された無底のものであり、この筒状体の少なくとも下方の開口部の内側に筒状体よりも硬質の周壁を有する蓋を嵌入している請求項７記載のディスプレイ装置。
【請求項９】
前記蓋の少なくとも周壁が半透明または不透明である請求項８記載のディスプレイ装置。
【発明の詳細な説明】
【技術分野】
【０００１】
本発明は袋に密封された液体および装飾物を、袋を加圧することによって自由に動かすことができる置物およびこの置物を用いたディスプレイ装置に関する。
【背景技術】
【０００２】
この種の置物としては、中空状に形成された硬質の合成樹脂またはガラス製の容器の当該中空部に、水または油などの液体と装飾物が一緒に収納されたものがあった。この液体および装飾物を動かすには、容器を大きく振ったり、また逆さまにすることによって可能になっている。しかし、このような操作はわざわざ容器を手に持ち上げて行わなければならといった煩雑さがある。またこうした行為は収納されている全ての装飾物が一斉に動くので、装飾物の一つひとつを個別に動かすことができないといったことがある。
【発明の開示】
【発明が解決しようとする課題】
【０００３】
本発明は水中の装飾物を簡単に動かすことができ、また装飾物の動きを自由に操作することが可能な置物を提供することを課題とする。またこの置物を安定して飾ることができるディスプレイ装置を提供することを課題とする。
【課題を解決するための手段】
【０００４】
本発明の置物（請求項１）は、柔軟かつ透明の合成樹脂製の袋に液体とこの液体の中で移動可能な装飾物を密閉状態で収納し、袋の外側から前記液体および装飾物を押して動かすことができることを特徴としている。
【０００５】
このような袋は底面の周囲を底面より下方に突出している支持脚で囲繞しているのが好ましい（請求項２）。
【０００６】
また前記装飾物は浮き玉に連結されているものが好ましい（請求項３）。
【０００７】
さらに前記装飾物が生物の模型であるものは一層、好ましい（請求項４）。
【０００８】
また前記袋は、上方のほぼ中心を紐で縛っているものであってもよい（請求項５）。
【０００９】
本発明のディスプレイ装置（請求項６）は前記いずれかの置物を有底または無底の透明かつ柔軟な筒状体に収納していることを特徴としている。
【００１０】
前記筒状体は可撓性を有しているものが、好ましい（請求項７）。
【００１１】
前記筒状体の横方向は前後方向よりも幅広に形成された無底のものであり、この筒状体の少なくとも下方の開口部の内側に筒状体よりも硬質の周壁を有する蓋を嵌入しているものはさらに好ましい（請求項８）。
【００１２】
このような蓋は少なくとも周壁が半透明または不透明であるものが好ましい（請求項９）。
【発明の効果】
【００１３】
本発明の置物（請求項１）は、柔軟かつ透明の合成樹脂製の袋に、液体とこの液体の中で移動可能な装飾物を密閉状態で収納しているものであるから、袋の外側を押すだけで、中の装飾物を直接動かしたり、あるいは液体は流動させて間接的に動かしたりすることが可能である。また装飾物を間接的に動かす場合は、装飾物は液体の流動に伴って動いたり、また振動したりして、それまでとは異なる自然な情景を呈する。したがって従来のように置物をわざわざ手に持って傾けたり、逆さまにしたりしなくても、設置されている状態で液体や装飾物の場所を移させることができるから、面倒がない。
【００１４】
また前記袋の底面の周囲を底面より下方に突出している支持脚が囲繞している場合（請求項２）、袋の立状態は支持脚によって維持されるので、その立状態は安定している。したがって袋を外から押しても転倒しない。
【００１５】
また前記装飾物が浮き玉に連結されている場合（請求項３）、装飾物は液体の中で浮遊状態にしておくことが可能である。この浮遊状態の場合、揺れに敏感に反応するので、例えば指先などで袋を軽く叩く程度の刺激を袋に与えた場合でも、装飾物は簡単に動くことが可能である。しかしこれまでの置物はこのような軽い刺激で動かせることはできなかった。
【００１６】
さらに前記装飾物が生物の模型である場合（請求項４）、生物と水の関係は無縁ではないので、違和感はない。特に上記模型が浮き玉に吊られた魚の場合、模型の魚は袋を刺激して液体の動きに伴って水中を浮遊しながら移動するので、まるで本物の魚が泳いでいるような臨場感がある。しかも袋を押せば模型の魚は即、反応を示すので、遊び心のある置物となる。また装飾物が花の場合も水との関係は深く、水中花さながらの外観を呈し、またこれが動く姿は涼感を一層かきたてることになる。
【００１７】
前記袋の上方のほぼ中心を紐で縛っている置物の場合（請求項５）、袋の外形は上方が下方よりも幅狭であり、また上方から下方に向かって漸次幅広になっている。したがって液体は下方に集中するので、置物の重心は低くなり、袋を立状態で設置する場合の安定感がよくなる。
【００１８】
また本発明のディスプレイ装置（請求項６）は、前記置物を有底または無底の透明の筒状体に収納している。置物は柔軟であるから、前記筒状体の内壁に密着した状態で収納させることが可能になっている。したがってこの収納状態における置物は筒状体によって形状が一定に維持されるから、立状態で設置している間に変形してバランスを崩したり、また転倒したりすることがない。また筒状体越しに見る置物は袋が筒状体と一体化しているので、まるで液体や装飾物が直に筒状体に収納されているように外見することができる。しかし筒状体が傾いたり、また転倒したりしても液体および装飾物は袋で密封されているから、こぼれたりすることはない。
【００１９】
前記筒状体が可撓性を有している場合（請求項７）、筒状体の外側から液体を刺激して流動させたり、また間接的に装飾物を動かせることができる。
【００２０】
さらに前記筒状体が、横方向が前後方向よりも幅広に形成された無底のものであり、少なくとも下方の開口部の内側に当該筒状体よりも硬質の周壁を有する蓋を嵌入している場合（請求項８）、蓋は筒状体の下方の開口部の形状を強制的に形成し、また前記底面を有している袋に収納されている前記液体の内圧による筒状体の下方の膨らみを抑制している。したがって無底の筒状体の下方の開口部に蓋を設けていない場合、前後方向の膨らみ、また幅方向の拡がりは上方と下方では異なっているが、筒状体の下方の開口部の内側に蓋の周壁を嵌入することによって、筒状体の下方は液体による前後方向に広がる膨らみが抑制される。さらに幅方向への拡がりがそれ相当に確保され、また筒状体の前後方向の膨らみ、また幅方向の広がりは上方と下方がほぼ等しくなる。そのため、前述のような下方に蓋を設けていない筒状体よりも好体裁の外観を呈することになる。さらに上記筒状体の上部の開口部の内側に上記蓋を嵌入することによって、筒状体の上下部分の膨らみはさらに等しくなるので、一層、好体裁の外観になる。また有底の筒状体の場合についても上部の開口部に蓋を圧入しているものは、その開口部の形状を強制的に形成し、また前記液体の内圧による筒状体の上方の膨らみを抑制することが可能になっている。したがって上方の開口部の蓋の面を筒状体の底面の形状と同じ形状にしておけば、筒状体の上部を下部の形状に形成することができる。
【００２１】
前記蓋の少なくとも周壁が半透明または不透明である（請求項９）場合、筒状体の上下部またはいずれか一方は透明の部分が半透明あるいは不透明に変化する。したがって筒状体が透明と半透明あるいは不透明のコンビネーションになるので、単一の透明度だけによるものよりも一層、高級感のあるディスプレイ装置にすることができる。
【発明を実施するための最良の形態】
【００２２】
次に図面を参照しながら本発明の実施形態を説明する。図１は本発明の置物の一実施形態を示す正面図、図２は袋の底面斜視図、図３は図１の置物の側面図、図４ａおよび図４ｂは装飾物の実施形態を示す正面図、図５ａおよび図５ｂは図１の置物を使用した本発明のディスプレイ装置の一実施形態を示す斜視図および平面図、図６は本発明のディスプレイ装置にかかわるケースの一実施形態を示す組み立て前の斜視図、図７はそのケースを用いたディスプレイ装置を示す一部切欠の正面斜視図、図８は本発明のディスプレイ装置の他の実施形態を示す斜視図、図９および図１０はそれぞれ本発明の置物のその他の実施形態を示す斜視図、図１１は本発明のその他の置物の平面図である。
図１に示す置物Ａは、袋１と、その袋の中に入れた水２と、水中を浮遊する装飾物３ａおよび底部に沈めておく装飾物３ｂとからなっている。なお装飾物３ａは極細のてぐす４ａを介して浮き玉４によって吊られている。水２に代えて、油などの他の透明な液体を用いることができる。
【００２３】
図２に示すように、袋１は合成樹脂製で、自由に変形可能な柔軟性と水密性とを有している。また袋は無色透明が好ましい。この袋１は二枚の柔軟な合成樹脂シートの側縁をヒートシールし、さらに下端にアーモンド状の底面５をヒートシールすることにより構成しうる。図２では袋１の上端はシールされていない。袋１の底面５は椀状に形成されている。底面５の周囲には袋を自立維持することが可能な支持脚６が下向きに形成されている。つまり底面５は支持脚６の下端よりも上方に位置しているので、図１に示すように袋に水が収納されている状態において、着地しないようになっている。また着地する場合でも、全面的に着地することが防止されている。また図３に示すように、袋１の前後方向は裾広がりの形態になっているので、袋の重心は低く、安定感を得ている。
【００２４】
前記水中を浮遊する装飾物３ａは、それ自体は浮力がなく、図４に示すように水面に浮かぶことが可能な透明の浮き玉４に適当な長さの透明なてぐす４ａで連結している。このてぐすの長さは浮き玉４が水面に浮かんだとき、底面に装飾物３ａが接触しない長さになっている。したがって装飾物３ａは袋１の底面５に沈むことなく、水中に常駐することが可能である。また水中の装飾物３ａはてぐす４ａに吊られているので、浮き玉４の移動に伴って揺れながら水中を移動する。
浮き玉４で吊られる装飾物３ａの実施形態としては水中に生息する生物が望ましく、例えば図４ａに示すように、実物さながらの色彩が施されたガラス製の魚の模型７が好ましい。魚は水中において生息し、また移動するものであるから、非常に臨場感がある。その他の魚の模型としては熱帯魚、鮫なども好ましい。また魚の模型に代わりイルカなどの哺乳動物、烏賊、蛸などの軟体動物、ペンギンや亀など水中に生息するものであってもよい。
他方、底部に沈めておく装飾物３ｂの実施形態としては、例えば図４ｂに示すように水底に沈む小石を模したガラス片８などが好ましい。特に色付きのガラス片は意匠的にも有効である。その他には水底の砂地を模すのに適当量の砂９も好ましい。海底に生息する珊瑚や海藻（図示外）も好ましい。装飾物３ｂは量が多いほど袋１の重心を低くさせることができる。また袋１の底面５が椀状に形成されているから、装飾物３ｂが中心に貯まり易いので、立状態における袋の安定感を得るには有効である。
【００２５】
前記袋１は水２および装飾物３ａ、３ｂを収納した後、図１に示すように上端の開口部を溶着して密封する。その場合、水２が袋の外からの押圧操作で逃げる場所を確保するためにも、袋の上方部には水を収納せず、空気を入れておくのが好ましい。つまり袋の外から水を押したときに水が簡単に流動できる余地（空気層）Ｓが袋内に設けられている。この状態は置物Ａの重心が下方に位置することにもなる。
なお、魚の模型７やガラス片８などの装飾物は２個以上、収納してもよい。
【００２６】
この置物の使用方法は、図１に示すように、置物Ａを自立させて使用する。さらに、図５または図８に示すように置物Ａを無底または有底の透明かつ柔軟な筒状体１０に収納した状態で置いて使用する方法がある。筒状体１０に収容した置物Ａは、全体として本発明のディスプレイ装置の実施形態である。いずれの場合も浮き玉４が水面に浮く状態で使用する。
図１に示す筒状体を用いない置物Ａでは、水２を袋１の外側より指で押したり、また叩いたりして水に刺激を与えると、水は余地部Ｓへ移動するから、浮き玉４および装飾物３ａはその水の動きに伴って動きを生じることになる。このような浮き玉４や装飾物３ａの動きは指先で行うので、手加減することが簡単にできる。例えば水への刺激を強力に行なったり、強弱をつけて行ったり、継続的に行ったりすることを自由自在に行うことができる。また装飾物３ａの動きは、その操作に応じた動きを生じるので、単純に装飾物３ａが動くだけに留まるのではなく、回転したり、上下動したり、反復動したりなど、変化に富んだ動きを呈することができる。また上記の操作は意図的にできるので、この操作にともなって動く魚と、操作する者との間には一体感がでてくる。まるで魚と戯れているような錯覚をおぼえるほどの臨場感がある。しかもこのような様々の操作は置物Ａが設置された状態において簡単に行うことができるので、わざわざ置物を手に取って動かしたり、また上下逆さまにするような手間は不要である。
【００２７】
底に沈んでいる模型のガラス片８や砂９は移動可能になっているので、底面を刺激すると動かすことができる。したがって底面の情景を変えたい場合は置物を手にとって振ってもよいし、また底面を軽く叩いてガラス片８や砂９の位置を微調整することもできる。
【００２８】
また図５ａに示す筒状体１０は、硬質で可撓性を有する合成樹脂シートを折り曲げて端縁同士を接合し、面部分を彎曲させることにより断面形状が薄いアーモンド形をしたスリーブ状に形成したものである。筒状体１０に立状態で収納されている置物Ａは、筒状体が可撓性を有しているので、下方が膨大するのを許容することができ、図５ｂに示すように置物の下方では、水圧によって袋１が筒状体１０に密着し、また筒状体の下方は厚味のあるアーモンド形に変形する。つまり置物は下方が筒状体の内面に密着することになる。また支持脚（図２の符号６）の周囲は筒状体１０によって囲まれている。したがって支持脚６は筒状体１０によって立状態が補助されるので、中の置物Ａは転倒しない。また筒状体１０は透明であるから、筒状体の外からはまるで魚の模型７とガラス片８や砂９が直接収納されているように外見される。なお筒状体１０の断面形状は、筒状体と置物が密着するものであれば円筒状や角筒状など、アーモンド形以外でもよい。特にアーモンド形あるいは円筒状の形状のものは、表面が凸面に形成されているので、凸レンズの作用で中の装飾物が拡大して明瞭に見える。そのため観賞するうえにおいては好ましい。
【００２９】
また図６に示すように前記アーモンド形の筒状体１０の下方と上方のそれぞれの開口部１０ａ、１０ｂの内面に可撓性の蓋３０ａ、３０ｂを嵌合してもよい。蓋３０ａは、たとえば硬質の可撓性を有する矩形状の合成樹脂シートにアーモンド形の折り目を入れ、その折り目に沿って両側をほぼ直角に折り曲げることによって製造しうる。この蓋３０ａは天面３１がアーモンド形で、凹湾曲に形成され、またそのアーモンド形の周囲は筒状体の内周とほぼ同じ長さであるが、中央が膨らみ、かつ幅が狭いアーモンド形である。天面３１の前後の側縁３１ａ、３１ｂからは天面３１の凸湾曲方向に立ち壁３２、３２が外拡がりに延びている。天面３１は中央部が低く、左右端に向かうにつれて高くなるように凹彎曲している。立ち壁３２、３２のそれぞれの高さは中心より側縁３２ａ、３２ｂに向かって徐々に高くなっていき、また表面は全体が天面３１の両側縁３１ａ、３１ｂに沿って凸湾曲を形成している。また左側の側縁３２ａ、３２ｂは離れているが、立ち壁３２、３２は内向きの弾性を有しているので、内向きに押されると当接するようになっている。同じように右側の側縁３２ａ、３２ｂについても当接するようになっている。側縁３２ａ、３２ｂが当接した状態では、立ち壁３２、３２の下辺３２ｃはほぼ水平になる。なお、前記蓋３０ａ、３０ｂの立ち壁３２、３２は高ければ高いほど、筒状体１０の両側１０ｃを外向きに強く押し、また筒状体との密着面積は大きくなるので、蓋を筒状体に強力に密着するのに、有効である。ただし筒状体１０の容積が小さくならないようにする。
【００３０】
蓋３０ａは立ち壁３２、３２の上端、または天面３１の両端を開口部１０ａに圧入して開口部１０ａの内側に押し込むが、このとき筒状体１０の両側１０ｃ、１０ｃは立ち壁３２、３２の側縁３２ａ、３２ｂによって左右外向きに押され、また中心部は内側に引き寄せられるので、筒状体１０は蓋３０ａによって原状の薄いアーモンド形が蓋の膨らみのあるアーモンド形へ強制的に変形させられる。そして圧入状態の開口部１０ａは天面３１とほぼ同形の形状に保形される。また蓋は筒状体に強力に密着するので、蓋３０ａの天面に置物Ａを置いても、筒状体から抜け落ちることがない。また筒状体１０の開口部１０ａの周囲は立ち壁３２、３２が密着して二重になり、張性のある厚さになっているので、当該部分を底部とする筒状体の立状態は非常に安定感が増して、転倒することが防止される。また天面３１は補強リブとして作用するので、天面３１の周辺は筒状体１０の面方向からの外圧によって筒状体が変形することを防止する。
【００３１】
また筒状体１０の上方の開口部１０ｂに嵌合する蓋３０ｂは、前記下方に嵌合する蓋３０ａと同じ構造で、また同じ作用をするが、上下を逆転して使用する。つまり蓋３０ａ、３０ｂは上下対称の形で使用する。したがって図７に示すように、筒状体１０は開口部１０ａ、１０ｂに蓋３０ａ、３０ｂを圧入した状態では、上下がほぼ同じアーモンド形を形成し、かつ張性、厚さ（前後幅）についてもほぼ同じなので、上下逆転して使用することができる。また筒状体１０の上下部に天面３１による補強リブの作用を有しているので、上下の蓋の間に収納されている置物Ａは外圧から保護することができる。さらに筒状態体１０は伏倒した状態で積み重ねても筒状体１０は変形しにくくなっているので、梱包する場合、筒状体は立状態また伏倒状態のいずれの状態においても収納することができる。
【００３２】
なお蓋３０ａ、３０ｂは筒状体１０と同様に透明であってもよいが、不透明または半透明にすることもできる。この場合、筒状体１０の開口部は筒状体を通して見た場合、透明部が蓋３０ａ、３０ｂと同じ不透明または半透明に外見されるので、透明部だけによる単純な筒状体とは異なる趣のあるディスプレイ装置となる。また筒状体１０に収納する置物Ａの袋１の上方部分を折畳んで蓋をする場合、折畳み部分が外見されるが、図７に示すように筒状体１０の内面と背面側の立ち壁３２の間に袋１の上部を挟み込むこともできる。その場合、挟み込んでいる部分は前記立ち壁３２の陰に隠れて正面からは見えないし、また袋１の上方部分１ａが不外見となるので、置物Ａは筒状体１０との一体感が強まり、非常に好体裁の外観となる。また筒状体１０の表面に袋１の中に収納しきれない装飾物を模様で施してもよい。また蓋３０ａ、３０ｂの表面あるいは蓋が圧入される部分の筒状体に模様あるいはデザインを施しておけば、蓋の存在がわかりにくくなるので、煩雑さがなくなり一層、好体裁となる。
なお、図２に示す袋１の支持脚６を図７に示すように蓋３０ａの天面３１の形状に合わせて湾曲状に切り取って形成してもよい。それにより筒状体１０内での煩雑さはなく、非常に好体裁の外観を呈する。なお、袋１の底面５と前後の面とのヒートシール部は所定幅で残しておく。
【００３３】
また図８に示すように透明で、有底の角柱状を呈する可撓性の筒状体１１の場合も、袋１を筒状体の内面に密着させるように折畳んで収納すれば、筒状体１１との一体感を得ることは可能である。したがって前記同様、筒状体の外からはまるで模型の魚７と小石を模したガラス片８や砂９が直接収納されているように外見される。さらに立状態を維持することは勿論のこと、持ち運びも簡単にできるので、便利である。この筒状体１１としては上部に一対の提げ手を設けたバッグのような形態のものは斬新であるから、特に好ましい。
なお、前記筒状体は無底または有底を問わず、筒状体を外側から指で押すことができるから、中の水や装飾物を刺激し、また動かすことができる。
【００３４】
図９は本発明の置物のその他の実施形態で、袋２０は扁平状のものである。袋２０の中には前記図１などの実施形態と同じ要領で水２１と魚の模型の装飾物２２ａおよび小石を模したガラス片２２ｂや砂２２ｃなどが収納され、また袋２０の上方は水２１が移動可能な余地Ｓが設けられている。この袋２０には前記のような脚部や底襠は形成されていないが、袋２０の大きさと中の水量とのバランスを調整することによって、立状態で使用することが可能になっている。立状態で使用する場合、袋２０は柔軟であるから、その下方は水の重みで前後方向が広がって、適当な奥行の底面を形成することになる。またこの底面の両側２３、２３をスタンディングの部分Ｂの幅よりも突出させれば、立状態を一層、安定させることができる。また両側２３、３２にガラス片２２ｂを収納すれば、底面は安定し、立状態は一層、確かなものとなる。装飾物２２ａは袋内の水を外側から押したり、また叩いたりすることによって動かすことができる。
【００３５】
図１０に示すように、この袋の余地Ｓの部分を細紐２４などでくくれば、袋の形状が不安定でなくなるので、立状態は長く保持することができる。また、装飾物が金魚を模したものであれば、ビニル袋に入っている金魚の外観を呈することになるので、非常に生生しい置物として観賞することができる。
【００３６】
前記袋２０は立状態の形態で使用する以外に袋を横倒しにして使用してもよい。この使用方法は最も安定するので好ましい。この場合の袋全体は図１１に示すように扁平の面を上方から外見することになるので、水は水面として認識される。したがって中に入れる装飾物としては、水面上あるいは水辺に生息するものが自然である。また袋が扁平であることから例えば、図１１に示すように嵩が低いカニ２５などが自然で違和感がない。こうした装飾物は袋２０の上から水２６を優しく触るだけでも簡単に反応して動きを生じるので、浮き玉を用いなくても十分、対応し得る。なお符号の２７ａは小石の模型のガラス片、２７ｂは砂である。また余地部Ｓは水２６の上方に形成されている。
【００３７】
なお、この実施形態の袋１および２０は、柔軟であるから形状を自由に変形でき、また中の液体は内圧によって袋に張りを与えるので、液体と袋の形状のバランスがうまく取れる範囲内であれば、袋を変形することによって、いろんな形状の置物を形成をすることが可能になっている。例えば袋を横に寝かして扁平状にしたり、立状態にして立体的にしたり、また袋を折り曲げたりあるいは不定形の立体的な形状にしたりなど自由に置物のフォルムを形成することができる。
【図面の簡単な説明】
【００３８】
【図１】図１は本発明の本発明の置物の一実施形態を示す正面図斜視図である。
【図２】図２は袋の底面斜視図である。
【図３】図３は図１の側面図である。
【図４】図４ａは装飾物の実施形態を示す正面図、図４ｂはその他の装飾物の実施形態を示す正面図ある。
【図５】図５ａ、図５ｂは図１の置物を使用した本発明のディスプレイ装置の一実施形態を示す斜視図および平面図である。
【図６】本発明のディスプレイ装置にかかわるケースの一実施形態を示す組み立て前の斜視図である。
【図７】図６のケースを用いたディスプレイ装置を示す一部切欠の正面斜視図である。
【図８】本発明のディスプレイ装置の他の実施形態を示す斜視図である。
【図９】本発明の置物の実施形態を示す斜視図である。
【図１０】本発明の置物の実施形態を示す斜視図である。
【図１１】本発明のその他の置物の平面図である。
【符号の説明】
【００３９】
１  袋
２  水
３ａ  装飾物
３ｂ  装飾物
４  浮き玉
４ａ  てぐす
５  底面
６  支持脚
７  魚の模型
８  小石などの模型
９  砂
１０  筒状体
１０ａ  開口部
１０ｂ  開口部
１０ｃ  両側
１１  筒状体
２０  袋
２１  水
２２ａ  装飾物
２２ｂ  ガラス片
２２ｃ  砂
２３  両側
２４  細紐
２５  カニ
２６  水
２７ａ  小石の模型のガラス片
２７ｂ  砂
３０ａ  蓋
３０ｂ  蓋
３１  天面
３１ａ  側縁
３１ｂ  側縁
３２  周壁
３２ａ  側縁
３２ｂ  側縁
Ａ  置物
Ｂ  幅
Ｓ  余地部
【図１】
2006205726.tif 000003
【図２】
2006205726.tif 000004
【図３】
2006205726.tif 000005
【図４】
2006205726.tif 000006
【図５】
2006205726.tif 000007
【図６】
2006205726.tif 000008
【図７】
2006205726.tif 000009
【図８】
2006205726.tif 000010
【図９】
2006205726.tif 000011
【図１０】
2006205726.tif 000012
【図１１】
2006205726.tif 000013